(57)【要約】    【課題】意匠上のバリエーションの多様化と柄癖発生の低減との双方を達成することの可能な化粧床材を提供する。    【解決手段】第１形態列は、長さＬの第１種全長ブロックを長手方向に配列してなる。第２形態列は、長手方向の一方端及び他方端に第１及び第２の長さＬａ，Ｌｂを持つ一方端及び他方端半長ブロックを配置し、これらの間に長さＬの第２種全長ブロックを配置し、（Ｌａ＋Ｌｂ）はＬと同等である。複数の第２形態列の少なくとも１つは他のものとは一方端及び／又は他方端半長ブロックの絵柄が異なる。一方端及び他方端半長ブロックは、それぞれが属する第２形態列の異同によらず、第１自由端縁と第２自由端縁とが当接した場合に、絵柄上の滑らかな繋がりが形成され、一方端及び他方端半長ブロックの絵柄を総合した合成絵柄を有する長さＬの合成ブロックが形成されるように、構成されている。【選択図】図１
2015017432.tif 000002
【特許請求の範囲】
【請求項１】
第１形態列と第２形態列とを幅方向に交互に配列してなる表面意匠を持つ化粧床材であって、
前記第１形態列は、基本長さＬ及び第１の幅Ｗ１を持つ第１種全長ブロックを長手方向にＫ個｛ここで、Ｋは自然数である。以下同様である。｝配列してなり、
前記第２形態列は、長手方向の一方端に前記基本長さＬより小さい第１の長さＬａ及び第２の幅Ｗ２を持つ一方端半長ブロックを配置し、前記長手方向の他方端に前記基本長さＬより小さい第２の長さＬｂ及び前記第２の幅Ｗ２を持つ他方端半長ブロックを配置し、前記一方端半長ブロックと前記他方端半長ブロックとの間に前記基本長さＬ及び前記第２の幅Ｗ２を持つ第２種全長ブロックを長手方向に（Ｋ−１）個配列してなり、前記第１の長さＬａと前記第２の長さＬｂとの和（Ｌａ＋Ｌｂ）は前記基本長さＬと同等であり、
前記第２形態列は複数設けられており、該第２形態列の少なくとも１つは他のものとは前記一方端半長ブロックの絵柄及び／又は前記他方端半長ブロックの絵柄が異なり、
前記一方端半長ブロック及び前記他方端半長ブロックは、それぞれが属する前記第２形態列の異同によらず、前記一方端半長ブロックの他方端半長ブロック側とは反対の側の第１自由端縁と前記他方端半長ブロックの一方端半長ブロック側とは反対の側の第２自由端縁とが当接した場合に、絵柄上の滑らかな繋がりが形成され、これにより前記一方端半長ブロックと前記他方端半長ブロックとの各々の絵柄を総合した合成絵柄を有する前記基本長さＬの合成ブロックが形成されるように、構成されている、
ことを特徴とする化粧床材。
【請求項２】
前記一方端半長ブロックには前記第１自由端縁の近傍に第１遷移領域が設けられ、前記他方端半長ブロックには前記第２自由端縁の近傍に第２遷移領域が設けられ、前記第１遷移領域の絵柄と前記第２遷移領域の絵柄とは、前記第１自由端縁と前記第２自由端縁とが当接した場合に形成される元々の絵柄を分割して得られたものに相当することを特徴とする、請求項１に記載の化粧床材。
【請求項３】
前記一方端半長ブロックにおける前記第１遷移領域の絵柄とそれ以外の第１余領域の絵柄とは、画像処理により滑らかに連ねられて第１の複合絵柄を形成することを特徴とする、請求項２に記載の化粧床材。
【請求項４】
前記他方端半長ブロックにおける前記第２遷移領域の絵柄とそれ以外の第２余領域の絵柄とは、画像処理により滑らかに連ねられて第２の複合絵柄を形成することを特徴とする、請求項２又は３に記載の化粧床材。
【請求項５】
前記第２の幅Ｗ２は前記第１の幅Ｗ１と同等であることを特徴とする、請求項１乃至４の何れか一項に記載の化粧床材。
【請求項６】
前記第２の幅Ｗ２は前記第１の幅Ｗ１とは異なることを特徴とする、請求項１乃至４の何れか一項に記載の化粧床材。
【請求項７】
前記第２の長さＬｂは前記第１の長さＬａと同等であることを特徴とする、請求項１乃至６の何れか一項に記載の化粧床材。  
【請求項８】
前記第２の長さＬｂは前記第１の長さＬａとは異なることを特徴とする、請求項１乃至６の何れか一項に記載の化粧床材。
【請求項９】
請求項１乃至８の何れか一項に記載の化粧床材の表面意匠を単位パターンとして前記幅方向に複数の前記単位パターンを配列してなる繰り返し表面意匠を持つ、ことを特徴とする長尺化粧床材。
【請求項１０】
請求項１乃至８の何れか一項に記載の化粧床材又は請求項９に記載の長尺化粧床材を用いる床仕上げ方法であって、
前記化粧床材又は前記長尺化粧床材を必要に応じて前記幅方向に関して所要寸法に切り出して形成される切り出し片を複数作製し、
これら切り出し片を、前記幅方向に関しては互いに隣接するもの同士の一方の前記第１形態列と他方の前記第２形態列とが隣接するように、前記長手方向に関しては互いに隣接するもの同士の一方の前記第１形態列と他方の前記第１形態列とが隣接し且つ一方の前記第２形態列と他方の前記第２形態列とが隣接するように、床面上に敷設する、
ことを特徴とする床仕上げ方法。
【発明の詳細な説明】
【技術分野】
【０００１】
本発明は、建築物の床仕上げの技術に属するものであり、特に、表面意匠の構成要素として矩形ブロックを用いた化粧床材及びこれを用いる床仕上げ方法に関するものである。
【背景技術】
【０００２】
建築物の床仕上げに際しては、従来、コンクリートスラブ又はその上に配置される床基材からなる下地の上に、適宜の表面意匠を有する化粧床材を貼設することが行われている。
【０００３】
化粧床材としては、近年、合成樹脂シートの表面に印刷により所望の絵柄を付与することで表面意匠を形成したものが、広く利用されている。印刷にはグラビア印刷の手法が広く利用されており、この場合、印刷用シリンダーの周面に所要パターンにて保持させたインクを合成樹脂シートの表面に転写することで、印刷用シリンダー周面の軸方向長さ及び周方向長さに相当する縦寸法および横寸法をもち所望の意匠を有する化粧床材を、これを繰り返し単位とする長尺物の形態にて、製造することができる。
【０００４】
化粧床材の貼設に際しては、建築物の床面の形状及び寸法を考慮して、先ず長尺状の化粧床材から切り出しにより適宜の寸法及び形状の複数の切り出し片を得、次いで複数の切り出し片を適切に組み合わせて配列し、床下地に接着する。
【０００５】
化粧床材の表面意匠の典型としては、実際のタイル貼りを模したタイル貼り模様が挙げられ、中でも矩形ブロックを構成要素とし、複数の矩形ブロックを１列状に配列したもの複数を互いに隣接するように配列し、その際、互いに隣接する列同士において矩形ブロックを互いに列方向にずらして配置したものが挙げられる。このような化粧床材については、例えば、特許文献１に木目調絵柄を有する矩形ブロックを構成要素とするものが記載されている。
【先行技術文献】
【特許文献】
【０００６】
【特許文献１】特開２００２−３０７９０号公報
【発明の概要】
【発明が解決しようとする課題】
【０００７】
ところで、実際のタイル貼りの場合には、施工の際に所望の絵柄を有する矩形ブロック状タイルを選択して所望の様式に配列することで、全体としての意匠において多くのバリエーションを得ることができる。しかしながら、化粧床材の場合には、特定の意匠を有するものを繰り返し単位とし、該繰り返し単位を多数有する長尺物を製造するのであるから、全体としての意匠におけるバリエーションを多く得ることは現実的ではない。
【０００８】
そこで、隣接列同士で矩形ブロックを列方向に互いにずらして配置する化粧床材の場合には、次のように構成することで、意匠のバリエーションの拡大を図ることができる。即ち、奇数番目の列については基本長さの矩形ブロックのみを配列し、偶数番目の列については両端に基本長さの半分の長さの矩形ブロックを配置し且つこれら両端の半分長さ矩形ブロックの間に必要に応じて基本長さの矩形ブロックを配列し、化粧床材貼設に際して複数の切り出し片を組み合わせ配列する際に、偶数番目の列同士が列方向に連続するようにし、半分長さ矩形ブロック同士の繋ぎ合わせにより得られる基本長さの矩形ブロックを１つの合成ブロックとする。ここで、全ての偶数番目の列において両端の半分長さ矩形ブロックを均等且つ均質の同一色のものとすることで、形成される全ての合成ブロックが同一絵柄になるようにする。これによれば、複数の切り出し片の組み合わせ配列に際してどの偶数番目の列同士が連続するようにされても、タイル貼り模様が得られ、しかも全体としての意匠の幾つかのバリエーションが可能である。
【０００９】
しかしながら、この場合、均等且つ均質の同一色の合成ブロックが列方向及びそれと直交する幅方向の双方に沿って配列されることになり、いわゆる柄癖の問題が発生する。柄癖は、同一柄が或る規則性をもって例えば上記のように列方向及び／又は幅方向に沿って配列された場合に、配列に基づく方向性が視覚的に強く認識されるものである。この柄癖の発生は、意匠の多様性を阻害するように作用するので、好ましくはない。
【００１０】
本発明は、以上の如き従来技術の課題に鑑みて、意匠上のバリエーションの多様化と柄癖発生の低減との双方を達成することの可能な化粧床材及びそれを用いる床仕上げ方法を提供することにある。
【課題を解決するための手段】
【００１１】
本発明によれば、以上の如き目的を達成するものとして、
第１形態列と第２形態列とを幅方向に交互に配列してなる表面意匠を持つ化粧床材であって、
前記第１形態列は、基本長さＬ及び第１の幅Ｗ１を持つ第１種全長ブロックを長手方向にＫ個｛ここで、Ｋは自然数である。以下同様である。｝配列してなり、
前記第２形態列は、長手方向の一方端に前記基本長さＬより小さい第１の長さＬａ及び第２の幅Ｗ２を持つ一方端半長ブロックを配置し、前記長手方向の他方端に前記基本長さＬより小さい第２の長さＬｂ及び前記第２の幅Ｗ２を持つ他方端半長ブロックを配置し、前記一方端半長ブロックと前記他方端半長ブロックとの間に前記基本長さＬ及び前記第２の幅Ｗ２を持つ第２種全長ブロックを長手方向に（Ｋ−１）個配列してなり、前記第１の長さＬａと前記第２の長さＬｂとの和（Ｌａ＋Ｌｂ）は前記基本長さＬと同等であり、
前記第２形態列は複数設けられており、該第２形態列の少なくとも１つは他のものとは  前記一方端半長ブロックの絵柄及び／又は前記他方端半長ブロックの絵柄が異なり、
前記一方端半長ブロック及び前記他方端半長ブロックは、それぞれが属する前記第２形態列の異同によらず、前記一方端半長ブロックの他方端半長ブロック側とは反対の側の第１自由端縁と前記他方端半長ブロックの一方端半長ブロック側とは反対の側の第２自由端縁とが当接した場合に、絵柄上の滑らかな繋がりが形成され、これにより前記一方端半長ブロックと前記他方端半長ブロックとの各々の絵柄を総合した合成絵柄を有する前記基本長さＬの合成ブロックが形成されるように、構成されている、
ことを特徴とする化粧床材、
が提供される。
【００１２】
本発明の一態様においては、前記一方端半長ブロックには前記第１自由端縁の近傍に第１遷移領域が設けられ、前記他方端半長ブロックには前記第２自由端縁の近傍に第２遷移領域が設けられ、前記第１遷移領域の絵柄と前記第２遷移領域の絵柄とは、前記第１自由端縁と前記第２自由端縁とが当接した場合に形成される元々の絵柄を分割して得られたものに相当する。
【００１３】
本発明の一態様においては、前記一方端半長ブロックにおける前記第１遷移領域の絵柄とそれ以外の第１余領域の絵柄とは、画像処理により滑らかに連ねられて第１の複合絵柄を形成する。本発明の一態様においては、前記他方端半長ブロックにおける前記第２遷移領域の絵柄とそれ以外の第２余領域の絵柄とは、画像処理により滑らかに連ねられて第２の複合絵柄を形成する。
【００１４】
本発明の一態様においては、前記第２の幅Ｗ２は前記第１の幅Ｗ１と同等である。本発明の一態様においては、前記第２の幅Ｗ２は前記第１の幅Ｗ１とは異なる。本発明の一態様においては、前記第２の長さＬｂは前記第１の長さＬａと同等である。本発明の一態様においては、前記第２の長さＬｂは前記第１の長さＬａとは異なる。
【００１５】
また、本発明によれば、上記の化粧床材の表面意匠を単位パターンとして前記幅方向に複数の前記単位パターンを配列してなる繰り返し表面意匠を持つ、ことを特徴とする長尺化粧床材、が提供される。
【００１６】
更に、本発明によれば、以上の如き目的を達成するものとして、
上記の化粧床材又は上記の長尺化粧床材を用いる床仕上げ方法であって、
前記化粧床材又は前記長尺化粧床材を必要に応じて前記幅方向に関して所要寸法に切り出して形成される切り出し片を複数作製し、
これら切り出し片を、前記幅方向に関しては互いに隣接するもの同士の一方の前記第１形態列と他方の前記第２形態列とが隣接するように、前記長手方向に関しては互いに隣接するもの同士の一方の前記第１形態列と他方の前記第１形態列とが隣接し且つ一方の前記第２形態列と他方の前記第２形態列とが隣接するように、床面上に敷設する、
ことを特徴とする床仕上げ方法、
が提供される。
【発明の効果】
【００１７】
本発明によれば、意匠上のバリエーションの多様化と柄癖発生の低減との双方を達成することの可能な化粧床材が提供される。
【図面の簡単な説明】
【００１８】
【図１】本発明による化粧床材の実施形態における表面意匠を説明するための模式図である。
【図２】図１の表面意匠の構成図である。
【図３】図１の表面意匠を構成する一方端半長ブロック及び他方端半長ブロックを示す模式図である。
【図４】一方端半長ブロックと他方端半長ブロックとにより形成される合成ブロックを示す模式図である。
【図５】本発明による床仕上げ方法の実施形態を説明するための模式図である。
【図６】本発明による床仕上げ方法の実施形態を説明するための模式図である。
【図７】本発明による床仕上げ方法の実施形態を説明するための模式図である。
【図８】本発明による床仕上げ方法の実施形態を説明するための模式図である。
【図９】本発明による床仕上げ方法の実施形態を説明するための模式図である。
【図１０】２つの他方端半長ブロックにより形成される合成ブロックを示す模式図である。
【発明を実施するための形態】
【００１９】
以下、図面を参照して本発明の実施の形態を説明する。もちろん、本発明は、これらの実施形態に限定されるものではない。
【００２０】
図１は、本発明による化粧床材の実施形態における表面意匠を示す模式図である。
【００２１】
本実施形態の化粧床材は、塩化ビニル樹脂等の合成樹脂からなるシートの表面にグラビア印刷により絵柄を付与して表面意匠を形成したものである。表面意匠は、３つの第１形態列と３つの第２形態列とを交互に配列してなる。即ち、第１列、第３列及び第５列が第１形態列からなり、第２列、第４列及び第６列が第２形態列からなる。図において、長手方向は各第１形態列及び各第２形態列の延在方向であり、幅方向は各第１形態列及び各第２形態列が交互に配列される方向であり長手方向に直交する方向である。
【００２２】
図示される表面意匠の長手方向寸法は、グラビア印刷用シリンダーの周面の軸方向長さに相当し、例えば１８００ｍｍ〜２０００ｍｍ程度である。図示される表面意匠の幅方向寸法は、グラビア印刷用シリンダーの周面の周方向長さに相当し、例えば９００ｍｍ〜１３００ｍｍ程度である。
【００２３】
化粧床材は、図示されるような表面意匠を単位パターンとして幅方向に複数の単位パターンを配列してなる繰り返し表面意匠を持つ長尺物の形態である長尺化粧床材として、製造される。
【００２４】
第１列、第３列及び第５列の第１形態列は、いずれも、基本長さＬ及び第１の幅Ｗ１を持つ矩形ブロックである第１種全長ブロックを長手方向に３個配列してなる。
【００２５】
第２列、第４列及び第６列の第２形態列は、いずれも、長手方向の一方端である左端に基本長さＬより小さい第１の長さＬａ及び第２の幅Ｗ２を持つ矩形ブロックである一方端半長ブロックを配置し、長手方向の他方端である右端に基本長さＬより小さい第２の長さＬｂ及び第２の幅Ｗ２を持つ矩形ブロックである他方端半長ブロックを配置し、一方端半長ブロックと他方端半長ブロックとの間に基本長さＬ及び第２の幅Ｗ２を持つ矩形ブロックである第２種全長ブロックを長手方向に２個配列してなる。ここで、第１の長さＬａと第２の長さＬｂとの和（Ｌａ＋Ｌｂ）は、基本長さＬと同等である。第１の長さＬａと第２の長さＬｂとは、同等即ちいずれもＬ／２であってもよいし、互いに異なっていてもよい。
【００２６】
第２の幅Ｗ２は第１の幅Ｗ１と同等であってもよいし、互いに異なっていてもよい。
【００２７】
図２は、図１の表面意匠の構成を示す図である。第１列は第１種全長ブロック１‐１，１‐２，１‐３からなり、第３列は第１種全長ブロック３‐１，３‐２，３‐３からなり、第５列は第１種全長ブロック５‐１，５‐２，５‐３からなる。一方、第２列は一方端半長ブロック２ａ、第２種全長ブロック２‐１，２‐２及び他方端半長ブロック２ｂからなり、第４列は一方端半長ブロック４ａ、第２種全長ブロック４‐１，４‐２及び他方端半長ブロック４ｂからなり、第６列は一方端半長ブロック６ａ、第２種全長ブロック６‐１，６‐２及び他方端半長ブロック６ｂからなる。
【００２８】
第１種全長ブロック１‐１，１‐２，１‐３；３‐１，３‐２，３‐３；５‐１，５‐２，５‐３及び第２種全長ブロック２‐１，２‐２；４‐１，４‐２；６‐１，６‐２は、それぞれ他のブロックから独立して、所望の絵柄を有するものとすることができる。
【００２９】
第２形態列の少なくとも１つは、他の第２形態列とは、一方端半長ブロックの絵柄及び／又は他方端半長ブロックの絵柄が異なる。第２列、第４列及び第６列の３つの第２形態列の全てが、一方端半長ブロックの絵柄及び／又は他方端半長ブロックの絵柄において互いに異なっていてもよい。
【００３０】
図３は、図１の表面意匠を構成する一方端半長ブロック及び他方端半長ブロックを示す模式図である。また、図４は、一方端半長ブロックと他方端半長ブロックとにより形成される合成ブロックを示す模式図である。
【００３１】
図１〜図３に示されるように、一方端半長ブロック２ａ，４ａ，６ａは、他方端半長ブロック側とは反対の側の第１自由端縁を持ち、他方端半長ブロック２ｂ，４ｂ，６ｂは、一方端半長ブロック側とは反対の側の第２自由端縁を持つ。これらの第１自由端縁と第２自由端縁とが、図３に示されるように互いに対向するように配置され、更には図４に示されるように当接せしめられた場合に、基本長さＬの合成ブロックが形成される。このような合成ブロックは、後述するような床仕上げ方法において、化粧床材又は長尺化粧床材を必要に応じて幅方向に関して所要寸法に切り出して形成される複数の切り出し片を床面上に敷設する際に、或る切り出し片の一方端半長ブロック２ａ，４ａ，６ａとこれに隣接して配列される切り出し片の他方端半長ブロック２ｂ，４ｂ，６ｂとにより形成される。
【００３２】
本発明においては、一方端半長ブロック２ａ，４ａ，６ａ及び他方端半長ブロック２ｂ，４ｂ，６ｂは、それぞれが属する第２形態列の異同によらず、即ち、（２ａ‐２ｂ）の半長ブロック組み合わせ、（４ａ‐４ｂ）の半長ブロック組み合わせ、及び（６ａ‐６ｂ）の半長ブロック組み合わせに限らず、（２ａ‐４ｂ）の半長ブロック組み合わせ、（２ａ‐６ｂ）の半長ブロック組み合わせ、（４ａ‐２ｂ）の半長ブロック組み合わせ、（４ａ‐６ｂ）の半長ブロック組み合わせ、（６ａ‐２ｂ）の半長ブロック組み合わせ、及び（６ａ‐４ｂ）の半長ブロック組み合わせの何れにおいても、以上のようにして形成される合成ブロックにおいて、一方端半長ブロック２ａ，４ａ，６ａの絵柄と他方端半長ブロック２ｂ，４ｂ，６ｂの絵柄とが滑らかに繋がり、これにより一方端半長ブロックと他方端半長ブロックとの各々の絵柄を総合した合成絵柄が形成される。
【００３３】
図１及び図３に示されるように、一方端半長ブロック２ａ，４ａ，６ａには第１自由端縁の近傍に第１遷移領域が設けられており、他方端半長ブロック２ｂ，４ｂ，６ｂには第２自由端縁の近傍に第２遷移領域が設けられている。これらの第１遷移領域及び第２遷移領域は、以上のような合成ブロックの形成に際して、絵柄の滑らかな繋がりを形成するのに寄与する。即ち、合成ブロックを形成する一方端半長ブロック及び他方端半長ブロックが第２列、第４列及び第６列のうちのどの第２形態列のもの同士の組み合わせであっても、第１自由端縁と第２自由端縁とが当接した場合に、絵柄上の滑らかな繋がりが形成される。換言すれば、これらの第１遷移領域及び第２遷移領域は、全ての一方端半長ブロック２ａ，４ａ，６ａ及び全ての他方端半長ブロック２ｂ，４ｂ，６ｂにおいて、絵柄上同等である。このような構成は、例えば、第１遷移領域の絵柄及び第２遷移領域の絵柄として、第１自由端縁と第２自由端縁とが当接した場合に形成される元々の絵柄を分割して得られたものを用いることにより、容易に達成される。尚、ここでいう絵柄としては、明度、彩度及び色相において互いに同一の色の領域を用いることができる。第１遷移領域及び第２遷移領域としては、長手方向の寸法が数ｍｍ程度の短いものであってもよく、要は、第１自由端縁と第２自由端縁とが当接した場合に、これらの境界線の存在を目立たなくする程度の広さがあればよい。
【００３４】
尚、図３及び図４に示されるように、一方端半長ブロック２ａ，４ａ，６ａの第１遷移領域以外の領域は第１余領域とされ、他方端半長ブロック２ｂ，４ｂ，６ｂの第２遷移領域以外の領域は第２余領域とされる。第１余領域は第１遷移領域とは図柄上区別することが可能な領域であり、第２余領域は第２遷移領域とは図柄上区別することが可能な領域である。第１余領域の絵柄と第１遷移領域の絵柄とは画像処理により滑らかに連ねられて第１の複合絵柄を形成するものであってもよく、第２余領域の絵柄と第２遷移領域の絵柄とは画像処理により滑らかに連ねられて第２の複合絵柄を形成するものであってもよい。各第１余領域及び各第２余領域は、それぞれ他の余領域から独立して、所望の絵柄を有するものとすることができる。
【００３５】
第１余領域は一方端半長ブロック２ａ，４ａ，６ａの幾つかにおいては存在しなくともよく、第２余領域は他方端半長ブロック２ｂ，４ｂ，６ｂの幾つかにおいては存在しなくともよい。即ち、一方端半長ブロック２ａ，４ａ，６ａの幾つかは第１遷移領域のみからなるものでもよく、他方端半長ブロック２ｂ，４ｂ，６ｂの幾つかは第２遷移領域のみからなるものでもよい。
【００３６】
図５〜図７は、本発明による床仕上げ方法の実施形態を説明するための模式図である。
【００３７】
以上のような化粧床材又は長尺化粧床材を用いる床仕上げに際しては、先ず、化粧床材又は長尺化粧床材を必要に応じて幅方向に関して所要寸法に切り出して複数の切り出し片を作製する。各切り出し片は、図１及び図２に示される表面意匠からなる単位パターンの少なくとも一部を含むものであり、例えば、第１列〜第６列を含むもの、第１列〜第４列のみを含むもの、第１列〜第２列のみを含むもの等である。
【００３８】
これら切り出し片を床面上に敷設する。その際、幅方向に関しては互いに隣接するもの同士の一方の第１形態列と他方の第２形態列とが隣接するように配列する。長手方向に関しては、互いに隣接する切り出し片同士の一方の第１形態列と他方の第１形態列とが隣接し且つ一方の第２形態列と他方の第２形態列とが隣接するように、配列する。
【００３９】
長手方向に関する配列の第１の形態は、図５に示されるように各切り出し片の配列を設定して、（２ｂ‐２ａ）の半長ブロック組み合わせ、（４ｂ‐４ａ）の半長ブロック組み合わせ、及び（６ｂ‐６ａ）の半長ブロック組み合わせ、により各合成ブロックを形成するものである。この場合、単位パターンを長手方向に繰り返し配列したものとなる。
【００４０】
長手方向に関する配列の第２の形態は、図６に示されるように各切り出し片の配列を設定して、（２ｂ‐４ａ）の半長ブロック組み合わせ、（４ｂ‐６ａ）の半長ブロック組み合わせ、及び（６ｂ‐２ａ）の半長ブロック組み合わせ、により各合成ブロックを形成するものである。この場合、単位パターンを幅方向にずらしながら長手方向に配列したものとなる。
【００４１】
長手方向に関する配列の第３の形態は、図７に示されるように各切り出し片の配列を設定して、（２ｂ‐６ａ）の半長ブロック組み合わせ、（４ｂ‐２ａ）の半長ブロック組み合わせ、及び（６ｂ‐４ａ）の半長ブロック組み合わせ、により各合成ブロックを形成するものである。この場合、単位パターンを幅方向にずらしながら長手方向に配列したものとなる。
【００４２】
図５の場合、長手方向には、同一の半長ブロック組み合わせが配列されるのであるから、切り出し片の長手方向寸法が意匠構成の単位となる。
【００４３】
図６の場合及び図７の場合、長手方向に関して隣接するように配置される一方の切り出し片の第２形態列と他方の切り出し片の第２形態列とは互いに対応しない列のものである。この場合、長手方向には、切り出し片の長手方向寸法の３倍が意匠構成の単位となる。尚、図６及び図７において、第２の切り出し片及び第３の切り出し片は、第１の切り出し片と同様なものであり、その一部のみ示されている。
【００４４】
以上の実施形態では、複数の切り出し片を幅方向に配列するに際して、第１列〜第６列を繰り返し単位として含むものとした。しかしながら、本発明は、そのような形態に限定されない。例えば、図８に示されるように、第２の切り出し片が第５列及び第６列を含まず第１列〜第４列のみを含むものとし、この第４列に隣接して第３の切り出し片の第１列が配列されるようにすることができる。この場合においても、合成ブロックの形成は、上記実施形態と同様になされる。このようにすることで、幅方向における合成ブロックの配列に関するバリエーションを増加させることができる。
【００４５】
以上の実施形態では、複数の切り出し片を幅方向に配列するに際して、第１列〜第６列の配列の向きをすべて同一に設定した。しかしながら、本発明は、そのような形態に限定されない。例えば、図８に示されるように、第１の切り出し片については第１列〜第６列の配列の向きを上記実施形態と同様にし、且つ、第２の切り出し片及び第３の切り出し片については第１列〜第６列の配列の向きを上記実施形態のものと逆にすることができる。この場合、合成ブロックは、図１０に示されるように他方端半長ブロック同士により構成されるものと図示されないが一方端半長ブロック同士により構成されるものとが存在する。前者の合成ブロックと後者の合成ブロックとは、長手方向寸法が互いに異なっていてもよい。このようにすることで、幅方向及び長手方向の双方における第１種及び第２種の全長ブロックの配列並びに合成ブロックの配列に関するバリエーションを増加させることができる。
【００４６】
以上のように、本発明によれば、合成ブロックとして絵柄が互いに異なる複数のものを形成でき、しかも床仕上げにおいて合成ブロックの配列パターンを適宜設定できるので、意匠上のバリエーションの多様化と柄癖発生の低減との双方を達成することが可能となる。
【００４７】
以上の実施形態では表面意匠の単位パターンにおける第１形態列及び第２形態列の数がそれぞれ３であるが、本発明はこれに限定されない。第１形態列及び第２形態列の数は、それぞれ２以上であることが好ましく、それぞれ３以上であることがより好ましい。
【図１】
2015017432.tif 000003
【図２】
2015017432.tif 000004
【図３】
2015017432.tif 000005
【図４】
2015017432.tif 000006
【図５】
2015017432.tif 000007
【図６】
2015017432.tif 000008
【図７】
2015017432.tif 000009
【図８】
2015017432.tif 000010
【図９】
2015017432.tif 000011
【図１０】
2015017432.tif 000012